(57)【要約】      （修正有）【課題】パンタグラフ機構を介した左右一対のプッシュロッドを設けることによって、ピンリンクプレートの両端のリンクピンを一挙に押し出す、作業能率の良いチェーン切断工具を提供する。【解決手段】前後に長い上下一対の支持板１１、１１と、支持板１１，１１の間に組み込むパンタグラフ機構２０を介して前進駆動する左右一対のプッシュロッド３１、３１と、支持板１１，１１に着脱するフォーク部材４１とを備えてなり、支持板１１，１１の透孔１１ａ，１１ｂにフォーク４１ａを挿通することにより，支持板１１、１１の間にチェーンを組み込み保持する。【選択図】図１
2008100304.tif 000002
【特許請求の範囲】
【請求項１】
前後に長い上下一対の支持板と、該支持板の間に組み込むパンタグラフ機構と、チェーンのピッチ相当の間隔に配置し、前記パンタグラフ機構を介して前進駆動する左右一対のプッシュロッドと、前記支持板に着脱するフォーク部材とを備えてなり、該フォーク部材は、前記支持板の前端部に左右方向に列設する透孔にフォークを挿通することにより、前記支持板の間にチェーンを位置決めして保持することを特徴とするチェーンの切断工具。
【請求項２】
前記プッシュロッドは、前記パンタグラフ機構の前端のコネクタにねじ止めするホルダを介して保持することを特徴とする請求項１記載のチェーンの切断工具。
【請求項３】
前記パンタグラフ機構は、後端を前記支持板の後端部に連結し、前端を前記支持板の前端側に向け、駆動用のねじ軸を前記支持板の左右に突出させることを特徴とする請求項１または請求項２記載のチェーンの切断工具。
【発明の詳細な説明】
【技術分野】
【０００１】
この発明は、ローラチェーンを含むチェーンの交換作業等に際して、チェーンを簡単に切断することができるチェーンの切断工具に関する。
【背景技術】
【０００２】
チェーンの交換作業等に際して、チェーンのリンクピンを抜き取ってチェーンを切断するための工具が知られている（たとえば特許文献１）。
【０００３】
このものは、把持柄を突設する本体部を横切るようにしてチェーンを保持し、ハンドル付きのねじ軸を本体部にねじ込み、ねじ軸の先端のプッシュロッドを介して、本体部上のチェーンのリンクピンを押し出して抜き取ることができる。なお、チェーンは、本体部に突設する２歯のスプロケット形状の掛止突部に掛けるようにして保持するが、リンクピンを押し出すためにねじ軸を回転操作するとき、掛止突部上のチェーンが外れてしまうことがあるため、チェーンの外れを防止する着脱自在の固定部材を併用することも提案されている（特許文献２）。
【特許文献１】特開２００４−３５１５２６号公報
【特許文献２】特開２００３−１７５４７４号公報
【発明の開示】
【発明が解決しようとする課題】
【０００４】
かかる従来技術によるときは、リンクピンは、ねじ軸の先端のプッシュロッドを介して全長を抜き取る必要があり、作業能率がよくないという問題があった。また、プッシュロッドは、ねじ軸を介して前進駆動するとき、ねじ軸とともに回転することがないように、ねじ軸との相対回転を許容する回転摺動形のホルダなどを介してねじ軸の先端に装着することが必要であり、ねじ軸に対して偏心し易く、十分な耐久性を実現することが難しいという問題もあった。
【０００５】
そこで、この発明の目的は、かかる従来技術の問題に鑑み、パンタグラフ機構を介して前進駆動する左右一対のプッシュロッドを設けることによって、ピンリンクプレートの両端のリンクピンを一挙に押し出すことができる上、必要十分な耐久性を容易に実現することができるチェーンの切断工具を提供することにある。
【課題を解決するための手段】
【０００６】
かかる目的を達成するためのこの発明の構成は、前後に長い上下一対の支持板と、支持板の間に組み込むパンタグラフ機構と、チェーンのピッチ相当の間隔に配置し、パンタグラフ機構を介して前進駆動する左右一対のプッシュロッドと、支持板に着脱するフォーク部材とを備えてなり、フォーク部材は、支持板の前端部に左右方向に列設する透孔にフォークを挿通することにより、支持板の間にチェーンを位置決めして保持することをその要旨とする。
【０００７】
なお、プッシュロッドは、パンタグラフ機構の前端のコネクタにねじ止めするホルダを介して保持することができ、パンタグラフ機構は、後端を支持板の後端部に連結し、前端を支持板の前端側に向け、駆動用のねじ軸を支持板の左右に突出させることができる。
【発明の効果】
【０００８】
かかる発明の構成によるときは、フォーク部材は、上下の支持板の前端部に列設する透孔にフォークを挿通することにより、支持板の間にチェーンを位置決めして保持することができる。なお、各フォークは、各支持板の透孔を介してチェーンの各ローラの間を上下に貫通し、チェーンを長さ方向、左右方向の双方向に位置決めする。すなわち、フォークのサイズ、ピッチは、チェーンの規格寸法に適合させるものとする。ただし、チェーンは、支持板の間隔により上下方向にも位置決めするものとし、チェーンの種類によって、適当なスペーサを併用してもよい。一方、左右一対のプッシュロッドは、チェーンのピッチ相当に並置されているから、パンタグラフ機構を介して前進駆動すると、支持板の間に保持されているチェーンのピンリンクプレートの両端のリンクピンを一挙に押し出すことができる。そこで、両端のリンクピンをピンリンクプレートの厚さ相当だけ押し出せば、他方の側のピンリンクプレートと一体にリンクピンを抜き取り、チェーンを切断することができる。
【０００９】
プッシュロッドは、パンタグラフ機構の前端のコネクタに付設するホルダを介し、パンタグラフ機構に対して剛に装着し、全体強度を十分に大きくして耐久性を向上させることができる。また、パンタグラフ機構は、前後に長い上下の支持板の間に組み込むことにより、一方の手で支持板の後部を握りながら、支持板の左右に突出するねじ軸を他方の手で簡単に回転操作することが可能である。
【発明を実施するための最良の形態】
【００１０】
以下、図面を以って発明の実施の形態を説明する。
【００１１】
チェーンの切断工具は、上下一対の支持板１１、１１と、支持板１１、１１の間に組み込むパンタグラフ機構２０と、パンタグラフ機構２０を介して前進駆動する左右一対のプッシュロッド３１、３１と、フォーク部材４１とを主要部材としてなる（図１、図２）。ただし、図２（Ａ）は、図１の正面図であり、図２（Ｂ）は、同図（Ａ）のＸ1 −Ｘ1 線矢視相当断面図である。
【００１２】
支持板１１、１１は、それぞれ前後に長く、同形同大に形成する板材である。各支持板１１の左右に膨出する前端部には、角状の透孔１１ａ、１１ｂ、１１ｂが左右方向に列設されている。ただし、左右の透孔１１ｂ、１１ｂは、中央の透孔１１ａより幅広に形成されている。また、各支持板１１の前部には、中央の長孔１１ｃ、左右の長孔１１ｄ、１１ｄが前後方向に形成され、後端部には、左右の丸孔１１ｅ、１１ｅが形成されている。ただし、図１、図２には、各支持板１１の一方の丸孔１１ｅのみが図示されている。
【００１３】
パンタグラフ機構２０は、後部の長いリンク２１、２１、中間のコネクタ２２、２２、前部の短いリンク２３、２３、前端のコネクタ２４と、駆動用のねじ軸２５とを備えている。各リンク２１の後端は、支持板１１、１１の丸孔１１ｅ、１１ｅに挿通するピン軸２１ａを介して支持板１１、１１に回転自在に連結されている。なお、ねじ付きのピン軸２１ａ、２１ａの下端は、共通の板状のナット２１ｂにねじ込まれている。また、各リンク２１の前端は、ピン２２ａを介してコネクタ２２の後端に回転自在に連結されている。一方、各リンク２３の後端は、ピン２２ｂを介してコネクタ２２の前端に回転自在に連結され、各リンク２３の前端は、ねじ付きのピン軸２３ａを介してコネクタ２４に回転自在に連結されている。ピン軸２３ａ、２３ａは、それぞれ支持板１１、１１の長孔１１ｄ、１１ｄに挿通され、下の支持板１１を下側から抱持する共通のブラケット２３ｂにねじ込まれている。
【００１４】
ねじ軸２５は、コネクタ２２、２２を左右に貫通し、支持板１１、１１の左右に突出している。ねじ軸２５の一端には、摘み２５ａが付設され、他端には、フランジ２５ｂが形成されている（図１、図３）。ねじ軸２５の雄ねじ部分は、摘み２５ａ側のコネクタ２２のねじ孔２２ｃにねじ込まれており、フランジ２５ｂ側のストレート部分は、他方のコネクタ２２の貫通孔２２ｄに回転自在に挿通されている。ただし、ねじ軸２５のストレート部分には、フランジ２５ｂ側のワッシャ２５ｃ、２５ｃ、薄形のスラストベアリング２５ｄと、摘み２５ａ側の止め軸２５ｅとがコネクタ２２を挟むようにして装着され、貫通孔２２ｄに対して軸方向に位置決めされている。
【００１５】
コネクタ２４の前面には、ボルト３２ａを介し、プッシュロッド３１、３１用のホルダ３２がねじ止めされている（図２（Ａ）、図４）。ただし、図４（Ａ）、（Ｂ）は、それぞれ図１の要部拡大平面図、図４（Ａ）のＸ2 −Ｘ2 線矢視相当断面図である。丸頭３１ａ付きの各プッシュロッド３１は、ホルダ３２に形成する段付孔３２ｂに収納され、ボルト３２ａを締め付けることによって固定されている。また、プッシュロッド３１、３１は、ホルダ３２の前面に平行に突出するようにして並置されている。
【００１６】
そこで、パンタグラフ機構２０は、摘み２５ａを介してねじ軸２５を正逆に回転操作すると、中間のコネクタ２２、２２を左右に開閉することにより、リンク２１、２１、２３、２３を介して前端のコネクタ２４を前後動させることができる。パンタグラフ機構２０の後端は、ピン軸２１ａ、２１ａを介して支持板１１、１１の後端部に連結され、前端のコネクタ２４は、各支持板１１の長孔１１ｄ、１１ｄ、ピン軸２３ａ、２３ａを介して前後方向に移動可能であるからである。すなわち、プッシュロッド３１、３１は、コネクタ２２、２２を閉じる方向にねじ軸２５を回転操作すると、パンタグラフ機構２０を介して前進駆動することができる。プッシュロッド３１、３１は、ホルダ３２を介してコネクタ２４と一体に組み立てられているからである。
【００１７】
フォーク部材４１は、フォーク４１ａ、４１ａ…を共通の基部４１ｂに等間隔に垂設して構成されている（図１、図５）。中央のフォーク４１ａは、各支持板１１の中央の透孔１１ａ、１１ａに適合する。また、左右両側のフォーク４１ａ、４１ａは、それぞれ各支持板１１の左右の透孔１１ｂ、１１ｂの各外側の辺に接するように配置されている。そこで、フォーク部材４１は、フォーク４１ａ、４１ａ…を各支持板１１の透孔１１ａ、１１ｂ、１１ｂに貫通させるようにして、上下の支持板１１、１１に着脱自在に装着することができる。
【００１８】
フォーク部材４１は、支持板１１、１１の前端部において、支持板１１、１１の間にチェーンＣを位置決めして保持することができる（図２、図６）。ただし、図６（Ａ）、（Ｂ）は、それぞれ図１の要部拡大平面相当図、図２のＸ3 −Ｘ3 線矢視相当拡大断面図である。また、図６（Ｃ）は、チェーンＣの要部構成斜視図である。
【００１９】
チェーンＣは、ローラリンクプレートＣ1 、Ｃ1 の両端にそれぞれブシュＣ2 を介してローラＣ3 を装着するローラリンクＣa と、ピンリンクプレートＣ4 、Ｃ4 の両端にそれぞれリンクピンＣ5 、Ｃ5 を設けるピンリンクＣb とを交互に連結するローラチェーンである（図６（Ｃ））。ただし、各ローラＣ3 は、ローラリンクプレートＣ1 、Ｃ1 の間において、ブシュＣ2 に対して回転自在であり、各リンクピンＣ5 は、ブシュＣ2 に回転自在に挿通された上、ピンリンクプレートＣ4 、Ｃ4 の外側において両端がかしめられている。
【００２０】
フォーク部材４１の各フォーク４１ａは、支持板１１、１１の透孔１１ａ、１１ａまたは透孔１１ｂ、１１ｂに挿通すると（図６（Ａ）、（Ｂ））、支持板１１、１１の間に挿入するチェーンＣの隣接するローラＣ3 、Ｃ3 、相対向するローラリンクプレートＣ1 、Ｃ1 が形成するチェーンＣ内のスプロケット用の空間に隙間なく挿通されるように寸法設定されている。また、支持板１１、１１の間隔は、ローラリンクプレートＣ1 、Ｃ1 の最大高さ相当に設定されている。そこで、チェーンＣは、フォーク部材４１を介し、支持板１１、１１の間に、長さ方向、上下方向、左右方向のいずれにも移動不能に位置決めして保持することができる。また、このとき、パンタグラフ機構２０の前端のプッシュロッド３１、３１は、チェーンＣのリンクピンＣ5 、Ｃ5 に正確に対応する。すなわち、プッシュロッド３１、３１は、ホルダ３２を介し、支持板１１、１１の間隔の中間の高さ位置において、チェーンＣのピッチ相当の間隔に配置して前向きに保持されている。
【００２１】
そこで、ねじ軸２５を回転操作してプッシュロッド３１、３１を前進駆動し、プッシュロッド３１、３１を介して少なくとも片側のピンリンクプレートＣ4 の厚さ相当以上にリンクピンＣ5 、Ｃ5 を押し出すと（図６（Ａ））、他のピンリンクプレートＣ4 と一体にリンクピンＣ5 、Ｃ5 を抜き取ってチェーンＣを切断することができる。すなわち、プッシュロッド３１、３１は、ピンリンクプレートＣ4 、Ｃ4 の両端のリンクピンＣ5 、Ｃ5 を一挙に押し出すことができる。
【他の実施の形態】
【００２２】
チェーンの切断工具は、プッシュロッド３１、３１、ホルダ３２、フォーク部材４１を交換するだけで、小形のチェーンＣにも対応可能である（図７）。ただし、図７（Ａ）〜（Ｃ）は、それぞれ要部拡大正面図、ホルダ３２の平面図、図７（Ａ）のＸ4 −Ｘ4 線矢視相当断面図である。
【００２３】
ホルダ３２の前面側下部には、フォーク部材４１のフォーク４１ａ、４１ａ…用のスリット３２ｃ、３２ｃ…を形成するスペーサ部分３２ｄが前向きに突設されている。そこで、チェーンＣは、フォーク部材４１を介し、上の支持板１１とホルダ３２のスペーサ部分３２ｄとの間の間隔内に位置決めして保持することができる。なお、フォーク部材４１のフォーク４１ａ、４１ａ…は、チェーンＣの規格寸法に適合するように形成されている。また、フォーク部材４１は、保持中のチェーンＣが傾かないように、上の支持板１１の透孔１１ａ、１１ｂ、１１ｂ内に基部４１ｂを部分的に沈めるようにして、支持板１１、１１に装着されている。さらに、プッシュロッド３１、３１は、チェーンＣの規格寸法に合わせて、径を小さくして長さを長くし、間隔が狭められている。
【００２４】
以上の説明において、チェーンＣは、ローラＣ3 、Ｃ3 …を有しないブシュチェーンであってもよい。また、パンタグラフ機構２０は、ねじ軸２５を手動操作するに代えて、電動操作としてもよい。さらに、パンタグラフ機構２０は、小形の油圧シリンダまたは空圧シリンダのような直線駆動源に代えてもよい。
【図面の簡単な説明】
【００２５】
【図１】全体構成斜視図
【図２】全体構成説明図
【図３】要部分解図
【図４】要部構成説明図
【図５】要部斜視図
【図６】使用状態説明図
【図７】他の実施の形態を示す使用状態説明図
【符号の説明】
【００２６】
Ｃ…チェーン
１１…支持板
１１ａ、１１ｂ…透孔
２０…パンタグラフ機構
２４…コネクタ
２５…ねじ軸
３１…プッシュロッド
３２…ホルダ
４１…フォーク部材
４１ａ…フォーク
特許出願人            田  村    守
代理人  弁理士      松  田  忠  秋
【図１】
2008100304.tif 000003
【図２】
2008100304.tif 000004
【図３】
2008100304.tif 000005
【図４】
2008100304.tif 000006
【図５】
2008100304.tif 000007
【図６】
2008100304.tif 000008
【図７】
2008100304.tif 000009